(57)【要約】【課題】携帯電話機等に搭載されるモバイルカメラに適した小型でＦ値が２．０以下の明るい撮像レンズを提供する。【解決手段】物体側から像面側に向けて順に、曲率の向きが変化する変曲面形状を有し光軸Ｌ近傍において物体側に凸を向けた負の屈折力を有する第１レンズ１、両凸形状の正の屈折力を有する第２レンズ２、所定の口径をなす開口絞りＳＤ、負の屈折力を有する第３レンズ３、曲率の向きが変化する変曲面形状を有し正の屈折力を有する第４レンズ４を配列する。これによれば、特に、第１レンズ１を物体側に凸面を向けた負レンズとし、第２レンズ２の後方に開口絞りＳＤを配置したことにより、絞り口径を大きくしつつも第２レンズを小径化でき、画面中心と画面周辺の光量比の低下を最小限に抑え、小型化を達成しつつ、Ｆ値が２．０以下の明るい撮像レンズを得ることができる。【選択図】図１
2007322844.tif 000002
【特許請求の範囲】
【請求項１】
物体側から像面側に向けて順に配列された、
曲率の向きが変化する変曲面形状を有し光軸近傍において物体側に凸を向けた負の屈折力を有する第１レンズと、
両凸形状の正の屈折力を有する第２レンズと、
所定の口径をなす開口絞りと、
負の屈折力を有する第３レンズと、
曲率の向きが変化する変曲面形状を有し正の屈折力を有する第４レンズと、
を含む、ことを特徴とする撮像レンズ。
【請求項２】
前記第１レンズの両面は、共に非球面に形成され、
前記第２レンズの両面は、共に同一の曲率半径をなす球面に形成されている、
ことを特徴とする請求項１記載の撮像レンズ。
【請求項３】
前記第３レンズの両面は、共に非球面に形成され、
前記第４レンズの両面は、共に非球面に形成されている、
ことを特徴とする請求項１又は２に記載の撮像レンズ。
【請求項４】
前記第１レンズ、第３レンズ、及び第４レンズは、樹脂材料により形成されている、
ことを特徴とする請求項１ないし３いずれかに記載の撮像レンズ。
【請求項５】
前記第１レンズ及び第３レンズは、ポリカーボネイトにより形成されている、
ことを特徴とする請求項４記載の撮像レンズ。
【請求項６】
前記第２レンズは、ガラス材料により形成されている、
ことを特徴とする請求項１ないし５いずれかに記載の撮像レンズ。
【請求項７】
前記第１レンズから像面までのレンズ系全長をＴＬ、前記レンズ系の焦点距離をｆ、前記第２レンズの焦点距離をｆ２とするとき、条件式（１），（２）
（１）１．３０＜ＴＬ／ｆ＜１．５０
（２）１．１７＜ｆ／ｆ２＜１．２０
を満足する、ことを特徴とする請求項１ないし６いずれかに記載の撮像レンズ。
【請求項８】
前記第１レンズの物体側の面とＦ値を決める光線の交点から光軸までの距離をｈ１、前記第４レンズの像面側の面とＦ値を決める光線の交点から光軸までの距離をｈ４、前記第１レンズの物体側の面の有効半径をｒ１、前記第４レンズの像面側の面の有効半径をｒ４とするとき、条件式（３），（４）
（３）１．１０＜ｒ１／ｈ１＜１．２０
（４）３．９０＜ｒ４／ｈ４＜４．１０
を満足する、ことを特徴とする請求項１ないし７いずれかに記載の撮像レンズ。
【請求項９】
前記第１レンズのアッベ数をν１、前記第２レンズのアッベ数をν２、前記第３レンズのアッベ数をν３、前記第４レンズのアッベ数をν４とするとき、条件式（５），（６）
（５）０．３５＜ν１／ν２＜０．４５
（６）０．４０＜ν３／ν４＜０．６０
を満足する、ことを特徴とする請求項１ないし８いずれかに記載の撮像レンズ。
【発明の詳細な説明】
【技術分野】
【０００１】
本発明は、携帯電話機、携帯型パーソナルコンピュータ、携帯型音楽プレーヤ等の携帯情報端末装置に搭載されるモバイルカメラに適用される撮像レンズに関し、特に、光量が少ない環境下での高感度撮影等が可能な小型の撮像レンズに関する。
【背景技術】
【０００２】
近年、デジタルカメラ市場では、手振れ補正機構を備えたタイプあるいは高感度撮影が可能なタイプの如く、光量が少ない環境下での撮影（室内、又は夜景の撮影等）を行うことを前提に開発されたモデルが人気を集めている。
モバイルカメラ市場においても、同様の機能を備えたモデルのニーズがあり、現在、実用化されている手振れ補正機構としては、レンズの一部を動かして手振れをキャンセルするタイプ、ＣＣＤ等の撮像素子をシフトさせて手振れをキャンセルするタイプがある。しかしながら、これらのタイプは、いずれも複雑な機構により形成されるため搭載に要するそれ相当のスペースが必要となる。そのため、モバイルカメラ自体が大きくなり、モバイルカメラ本来の大きさから大きく外れたものになってしまう。
【０００３】
また、高感度撮影を行うと、撮影画像にノイズが生じて画質の悪化を招くのが一般的であり、高感度撮影をセールスポイントにしている現存のタイプであっても、依然としてノイズの発生を防止するのは困難である。また、このような対策が施されていないカメラで手振れを抑えるために、シャッタースピードを速くして高速撮影を行うと、露光時間が短くなり、撮影画面全体が暗くなるという問題が生じる。
【０００４】
これらの諸問題に対して結像レンズ光学系で対処するには、Ｆ値（Ｆナンバー）の小さい撮像レンズが必要となる。従来、モバイルカメラに用いられてきた結像レンズ光学系としては、３枚のレンズにより形成されたものが知られているが、この３枚構成でＦ値の小さい撮像レンズを実現しようとすると、屈折面数が少ないため、軸上色収差及び像面湾曲の補正が困難になり実用的な光学性能を得ることができない。そこで、レンズの枚数を増やして各レンズの負担を軽減する手法が考えられる。
【０００５】
４枚のレンズ構成を採用した従来の撮像レンズとしては、物体側から順に、物体側に凹面を向けた負の屈折力を有する第１レンズ、所定の口径をなす開口絞り、両凸形状の正の屈折力を有する第２レンズ、像面側に凸面を向けた負の屈折力を有するメニスカス形状の第３レンズ、正の屈折力を有する第４レンズを備えたものが知られている（特許文献１参照）。
また、他の撮像レンズとしては、物体側から順に、物体側に凹面を向けた負の屈折力を有する第１レンズ、両凸形状の正の屈折力を有する第２レンズ、所定の口径をなす開口絞り、像面側に凸面を向けた負の屈折力を有するメニスカス形状の第３レンズ、正の屈折力を有する第４レンズを備えたものが知られている（特許文献２参照）。
しかしながら、これらの撮像レンズにおいては、Ｆ値（Ｆナンバー）の値がいずれも２．８程度であり、光量の少ない環境下で撮影可能な十分な明るさに達していない。
【０００６】
【特許文献１】特開２００４−３６１９３４号公報
【特許文献２】特開２００５−３１６３８号公報
【発明の開示】
【発明が解決しようとする課題】
【０００７】
本発明は、上記従来技術の事情に鑑みて成されたものであり、その目的とするところは、Ｆ値（Ｆナンバー）が２．０以下の明るさを有し、解像力、周辺光量比等の光学性能を劣化させることなく、携帯電話機、携帯型パーソナルコンピュータ、携帯型音楽プレーヤ等の携帯情報端末装置に搭載されるモバイルカメラに適した、小型で、光学性能の高い撮像レンズを提供することにある。
【課題を解決するための手段】
【０００８】
本発明の撮像レンズは、物体側から像面側に向けて順に配列された、曲率の向きが変化する変曲面形状を有し光軸近傍において物体側に凸を向けた負の屈折力を有する第１レンズと、両凸形状の正の屈折力を有する第２レンズと、所定の口径をなす開口絞りと、負の屈折力を有する第３レンズと、曲率の向きが変化する変曲面形状を有し正の屈折力を有する第４レンズと、を含むことを特徴としている。
この構成によれば、負、正、負、正の４枚のレンズ構成とし、特に、第１レンズを物体側に凸面を向けた負レンズとし、正の屈折力を有する第２レンズの後方に開口絞りを配置したことにより、開口絞りの口径を大きくしつつも、第２レンズの外径が大きくなるのを抑え、かつ、画面中心と画面周辺の光量比の低下を最小限に抑えることができ、その結果、小型化を達成しつつ、Ｆ値が２．０以下の明るい撮像レンズを得ることができる。
【０００９】
上記構成において、第１レンズの両面は、共に非球面に形成され、第２レンズの両面は、共に同一の曲率半径をなす球面に形成されている、構成を採用することができる。
この構成によれば、第１レンズの両面を非球面にすることで、特に周辺画角でのコマ収差を良好に補正することができると共に第２レンズを表裏同一の凸形状にすることができ、又、第２レンズを表裏同一の凸形状にできるが故に製造コストを低減することができ、誤組み付けを防止することができる。
【００１０】
上記構成において、第３レンズの両面は、共に非球面に形成され、第４レンズの両面は、共に非球面に形成されている、構成を採用することができる。
この構成によれば、諸収差を良好に補正しつつ、所望の解像力を得ることができる。
【００１１】
上記構成において、第１レンズ、第３レンズ、及び第４レンズは、樹脂材料により形成されている、構成を採用することができる。
この構成によれば、３つのレンズに樹脂材料を用いることで、軽量化、低コスト化を達成しつつ、樹脂材料を適宜選択することにより、色収差等の諸収差を良好に補正することができる。
【００１２】
上記構成において、第１レンズ及び第３レンズは、ポリカーボネイトにより形成されている、構成を採用することができる。
この構成によれば、２つのレンズに分散の大きいポリカーボネイト（ＰＣ）を用いることで、特に色収差を低減することができ、良好な光学性能を得ることができる。
【００１３】
上記構成において、第２レンズは、ガラス材料により形成されている、構成を採用することができる。
この構成によれば、Ｆ値を小さく（明るく）しつつも、色収差を良好に補正することができる。
【００１４】
上記構成において、第１レンズの物体側の面から像面までのレンズ系全長をＴＬ、レンズ系の焦点距離をｆ、第２レンズの焦点距離をｆ２とするとき、条件式（１），（２）
（１）１．３０＜ＴＬ／ｆ＜１．５０
（２）１．１７＜ｆ／ｆ２＜１．２０
を満足する、構成を採用することができる。
この構成によれば、レンズのパワー配置に関する条件式（１），（２）を満たすことにより、レンズ系全長を短くしつつ、画角が広角になり過ぎないように所定範囲に抑えて諸収差を良好に補正することができる。
【００１５】
上記構成において、第１レンズの物体側の面とＦ値を決める光線の交点から光軸までの距離をｈ１、第４レンズの像面側の面とＦ値を決める光線の交点から光軸までの距離をｈ４、第１レンズの物体側の面の有効半径をｒ１、第４レンズの像面側の面の有効半径をｒ４とするとき、条件式（３），（４）
（３）１．１０＜ｒ１／ｈ１＜１．２０
（４）３．９０＜ｒ４／ｈ４＜４．１０
を満足する、構成を採用することができる。
この構成によれば、Ｆ値を決める光線とレンズの有効径に関する条件式（３），（４）を満たすことにより、画面中心領域の明るさを適度に確保しつつ、諸収差を良好に補正することができる。
【００１６】
上記構成において、第１レンズのアッベ数をν１、第２レンズのアッベ数をν２、第３レンズのアッベ数をν３、第４レンズのアッベ数をν４とするとき、条件式（５），（６）
（５）０．３５＜ν１／ν２＜０．４５
（６）０．４０＜ν３／ν４＜０．６０
を満足する、構成を採用することができる。
この構成によれば、全てのレンズのアッベ数に関する条件式（５），（６）を満たすことにより、凸レンズで発生した色収差を良好に補正することができ、十分な解像力を得ることができる。
【発明の効果】
【００１７】
上記構成をなす撮像レンズによれば、Ｆ値（Ｆナンバー）が２．０以下の明るさで、所望の解像力を確保でき、周辺光量比等の光学性能の劣化を招くことなく、携帯電話機、携帯型パーソナルコンピュータ、携帯型音楽プレーヤ等の携帯情報端末装置に搭載されるモバイルカメラに適した小型で光学性能の高い撮像レンズが得られる。
【発明を実施するための最良の形態】
【００１８】
以下、本発明の最良の実施形態について、添付図面を参照しつつ説明する。
図１ないし図３は、本発明に係る撮像レンズの一実施形態を示すものであり、図１はレンズ構成図、図２は光路図、図３はＦ値を決める光線とレンズの有効径に関する定義を説明する図である。
この撮像レンズは、図１に示すように、物体側から像面側に向けて順に、曲率の向きが変化する変曲面形状を有し光軸近傍において物体側に凸を向けた負の屈折力を有する第１レンズ１、両凸形状の正の屈折力を有する第２レンズ２、所定の口径をなす開口絞りＳＤ、負の屈折力を有する第３レンズ３、曲率の向きが変化する変曲面形状を有し正の屈折力を有する第４レンズ４を備えている。
そして、第４レンズ４の後方に、赤外線カットフィルターとしてのガラスプレート５及びＣＣＤをカバーするガラスプレート６が配置され、その後方に、ＣＣＤ等の撮像素子の像面Ｐが配置される。
【００１９】
ここで、第１レンズ１〜第４レンズ４〜ガラスプレート５，６においては、図１に示すように、各々の面をＳｉ（ｉ＝１〜１３）、各々の面Ｓｉの曲率半径をＲｉ（ｉ＝１〜１３）、第１レンズ１〜第４ンズ４及びガラスプレート５，６のｄ線に対する屈折率をＮｉ（ｉ＝１〜６）及びアッベ数をνｉ（ｉ＝１〜６）で表す。また、第１レンズ１〜像面Ｐまでの光軸Ｌ上における距離（厚さ、空気間隔）をＤｉ（ｉ＝１〜１３）、第１レンズ１〜像面Ｐまでのレンズ系全長をＴＬ、レンズ系の焦点距離をｆ、第２レンズ２の焦点距離をｆ２で表す。
さらに、図３に示すように、第１レンズ１の物体側の面とＦ値を決める光線の交点から光軸Ｌまでの距離をｈ１、第４レンズ４の像面側の面とＦ値を決める光線の交点から光軸Ｌまでの距離をｈ４、第１レンズ１の物体側の面の有効半径をｒ１、第４レンズ４の像面側の面の有効半径をｒ４で表す。
【００２０】
第１レンズ１は、樹脂材料により形成され、好ましくはポリカーボネイト（ＰＣ）により形成されている。そして、第１レンズ１は、図１に示すように、物体側の面Ｓ１が光軸Ｌ近傍の領域において凸面をなすと共に有効径の範囲内において曲率の向きが変化する変曲面形状に形成され、像面側の面Ｓ２が光軸Ｌ近傍の領域において凹面をなすと共に有効径の範囲内において曲率の向きが変化する変曲面形状に形成されている。
ここで、物体側の面Ｓ１及び像面側の面Ｓ２は、共に変曲面形状をなす非球面に形成されているが、一方の面が非球面に形成されてもよい。
第１レンズ１の材料として、分散の大きいポリカーボネイト（ＰＣ）を用いることで、特に色収差を低減することができ、良好な光学性能を得ることができる。
また、第１レンズ１に非球面を設けることで、特に周辺画角でのコマ収差を良好に補正することができる。
【００２１】
第２レンズ２は、ガラス材料により形成されている。そして、第２レンズ２は、図１に示すように、物体側の面Ｓ３が凸面に形成され、かつ、像面側の面Ｓ４が凸面に形成された、正の屈折力を有する両凸形状のレンズである。ここで、物体側の面Ｓ３及び像面側の面Ｓ４は、共に球面に形成され、好ましくは同一の曲率半径（Ｒ３＝−Ｒ４）をなす球面に形成されている。
第２レンズ２をガラスレンズとすることにより、Ｆ値を小さく（明るく）しつつも、色収差を良好に補正することができ、又、同一の曲率半径Ｒ３＝−Ｒ４とすることにより、製造コストを低減できると共に、誤組み付けを防止することができる。
【００２２】
第３レンズ３は、樹脂材料により形成され、好ましくはポリカーボネイト（ＰＣ）により形成されている。そして、第３レンズ３は、図１に示すように、物体側の面Ｓ６が凹面に形成され、像面側の面Ｓ７が凸面に形成された、負の屈折力を有するメニスカス形状のレンズである。
第３レンズ３の材料として、分散の大きいポリカーボネイト（ＰＣ）を用いることで、特に色収差を低減することができ、良好な光学性能を得ることができる。
【００２３】
第４レンズ４は、樹脂材料により形成され、好ましくはポリカーボネイト（ＰＣ）により形成されている。そして、第４レンズ４は、図１に示すように、物体側の面Ｓ８が光軸Ｌ近傍の領域において凸面をなすと共に有効径の範囲内において曲率の向きが変化する変曲面形状に形成され、像面側の面Ｓ９が光軸Ｌ近傍の領域において凹面をなすと共に有効径の範囲内において曲率の向きが変化する変曲面形状に形成されている。
ここで、物体側の面Ｓ８及び像面側の面Ｓ９は、共に変曲面形状をなす非球面に形成されているが、一方の面が非球面に形成されてもよい。
第４レンズ４の材料として、分散の大きいポリカーボネイト（ＰＣ）を用いることで、特に色収差を低減することができ、良好な光学性能を得ることができる。
また、バックフォーカスを無理に短くしてレンズ系全長を短縮しようとすると、像面湾曲が増大し、画面中心でベストフォーカスのときに画面周辺の映像がぼけるが、第４レンズ４を変曲面形状（変曲点をもつ非球面形状）にすることで、バックフォーカスの短縮化を達成しつつ、像面湾曲を良好に補正することができる。
【００２４】
ここで、非球面を表す式は、次式で規定される。
Ｚ＝Ｃｙ２／［１＋（１−（Ｋ＋１）・Ｃ２ｙ２）１／２］＋Ｄｙ４＋Ｅｙ６＋Ｆｙ８＋Ｇｙ１０＋Ｈｙ１２＋Ｉｙ１４
ただし、Ｚ：光軸から高さがｙの非球面上の点の非球面頂点の接平面からの距離、ｙ：光軸Ｌからの高さ、Ｃ：非球面の頂点における曲率（１／Ｒ）、Ｋ：円錐定数、Ｄ，Ｅ，Ｆ，Ｇ，Ｈ，Ｉ：非球面係数である。
【００２５】
上記のように、第１レンズ１、第３レンズ３、及び第４レンズ４を樹脂材料により形成することにより、ガラス材料で成型された場合に比べて、レンズ系の軽量化、低コスト化、生産コストの低減等を達成でき、又、非球面を容易に形成できるため、収差補正の自由度が増した分だけ、コンパクトな構成が可能となり、ガラス材料を用いる場合に比べて複雑な形状を容易に形成ないし加工することができる。
このように、負、正、負、正の４枚のレンズ構成とし、特に、第１レンズ１を物体側に凸面Ｓ１を向けた負レンズとし、正の屈折力を有する第２レンズ２の後方に開口絞りＳＤを配置したことにより、開口絞りＳＤの口径を大きくしつつも、第２レンズ２の外径が大きくなるのを抑え、かつ、画面中心と画面周辺の光量比の低下を最小限に抑えることができ、その結果、小型化を達成しつつ、Ｆ値が２．０以下の明るい撮像レンズを得ることができる。
【００２６】
すなわち、４枚のレンズで結像レンズ光学系を構成する場合、第２レンズ２（正レンズ）の後方に開口絞りＳＤを配置することにより、開口絞りＳＤの口径を大きくしても第２レンズ２（正レンズ）の有効径が大きくなるのを抑えて、第２レンズ２のコバ厚が薄くなるのを防止している。また、第１レンズ１として物体側に凸面Ｓ１を向けた形状の負レンズを配置することで、開口絞りＳＤの絞り径を大きくしても、画面中心と画面周辺の光量比の低下を最小限に抑えることができ、実用的な撮像レンズを得ることができる。
また、第１レンズ１の両面Ｓ１，Ｓ２を非球面にすることで、周辺画角でのコマ収差を良好に補正でき、又、第２レンズ２の形状を曲率半径Ｒ３，Ｒ４の大きさを表裏同一の両凸形状とすることができ、レンズの製造を容易にすることができる。
【００２７】
上記構成をなす撮像レンズにおいては、第１レンズ１の物体側の面Ｓ１から像面Ｐまでのレンズ系全長ＴＬ、レンズ系の焦点距離ｆ、第２レンズ２の焦点距離ｆ２が、好ましくは、条件式（１），（２）
（１）１．３０＜ＴＬ／ｆ＜１．５０
（２）１．１７＜ｆ／ｆ２＜１．２０
を満足するように形成される。
条件式（１），（２）は、レンズ光学系の小型化に必要なレンズのパワー配置に関する条件式である。ＴＬ／ｆの値が条件式（１）の上限値以上になると、焦点距離に対するレンズ系全長が長くなりモバイル本来の大きさに小型化するのが困難になり、逆に、ＴＬ／ｆの値が条件式（１）の下限値以下になると、レンズの画角が広角になり過ぎて、諸収差を良好に補正するのが困難になる。
また、ｆ／ｆ２の値が条件式（２）の上限値以上になると、第２レンズ２の屈折力が弱くなり過ぎてレンズ系全長を短くすることが困難になり、逆に、ｆ／ｆ２の値が条件式（２）の下限値以下になると、第２レンズ２の屈折力が強くなり過ぎて諸収差を良好に補正するのが困難になり又第２レンズ２が製造し難い形状になる。
したがって、レンズのパワー配置に関する条件式（１），（２）を満たすことにより、レンズ系全長ＴＬを短くしつつ、画角２ωが広角になり過ぎないように所定範囲に抑えて諸収差を良好に補正することができる。
【００２８】
また、上記構成においては、第１レンズ１の物体側の面Ｓ１とＦ値を決める光線の交点から光軸Ｌまでの距離ｈ１、第４レンズ４の像面側の面Ｓ９とＦ値を決める光線の交点から光軸Ｌまでの距離ｈ４、第１レンズ１の物体側の面Ｓ１の有効半径ｒ１、第４レンズ４の像面側の面Ｓ９の有効半径ｒ４が、好ましくは、条件式（３），（４）
（３）１．１０＜ｒ１／ｈ１＜１．２０
（４）３．９０＜ｒ４／ｈ４＜４．１０
を満足するように形成される。
条件式（３），（４）はレンズ光学系のＦ値を決める光線とレンズ有効径に関する条件式である。ｒ１／ｈ１の値及びｒ４／ｈ４の値が条件式（４），（５）の上限値以上になると、レンズ有効径の面積に対して画面中心の光線が通る面積が小さくなり過ぎてレンズの明るさが保てなくなり、逆に、ｒ１／ｈ１の値及びｒ４／ｈ４の値が条件式（４），（５）の下限値以下になると、レンズ有効径の面積に対して画面中心の光線が通る面積が大きくなり過ぎて諸収差の補正が困難になる。
したがって、Ｆ値を決める光線とレンズの有効径に関する条件式（３），（４）を満たすことにより、画面中心領域の明るさを適度に確保しつつ、諸収差を良好に補正することができる。
【００２９】
さらに、上記構成においては、第１レンズ１のアッベ数ν１、第２レンズ２のアッベ数ν２、第３レンズ３のアッベ数ν３、第４レンズ４のアッベ数ν４が、好ましくは、条件式（５），（６）
（５）０．３５＜ν１／ν２＜０．４５
（６）０．４０＜ν３／ν４＜０．６０
を満足するように形成される。
条件式（５），（６）は、全てのレンズのアッベ数を用いて色収差の補正に関する条件式を規定したものである。ν１／ν２の値及びν３／ν４の値がそれぞれ条件式（５），（６）の上限値以上になると、凸レンズで発生した色収差の補正が不十分で十分な解像力が得られず、逆に、ν１／ν２の値及びν３／ν４の値がそれぞれ条件式（５），（６）の下限値以下になると、凸レンズで発生した色収差を過剰に補正することになり、結果として逆方向の色収差が発生してしまう。
したがって、条件式（５），（６）を満たすことにより、凸レンズで発生した色収差を良好に補正することができ、十分な解像力を得ることができる。
【００３０】
次に、上記撮像レンズの具体的な数値による実施例を、実施例１、実施例２として以下に示す。
【実施例１】
【００３１】
実施例１における主な仕様諸元、種々の数値データ（設定値）、条件式（１）〜（６）の値は以下の通りである。また、実施例１における球面収差、非点収差、歪曲収差、倍率色収差は図４に示す結果となる。尚、図４中の非点収差において、Ｓはサジタル平面での収差、Ｍはメリジオナル平面での収差を示す。
この実施例１においては、第１レンズ１、第３レンズ３、及び第４レンズ４が樹脂材料により形成され、又、第１レンズ１の両面Ｓ１，Ｓ２、第３レンズ３の両面Ｓ６，Ｓ７、第４レンズ４の両面Ｓ８，Ｓ９が非球面に形成されている。
【００３２】
＜条件式の値＞
（１）ＴＬ／ｆ＝７．０８８／４．９８０＝１．４２３  →  １．３０＜１．４２３＜１．５０
（２）ｆ／ｆ２＝４．９８０／４．１７４＝１．１９３  →  １．１７＜１．１９３＜１．２
（３）ｒ１／ｈ１＝１．５８０／１．３３０＝１．１８８  →  １．１０＜１．１８８＜１．２０
（４）ｒ４／ｈ４＝２．３４９／０．５７８＝４．０６４  →  ３．９０＜４．０６４＜４．１０
（５）ν１／ν２＝３０．３／８１．６＝０．３７１  →  ０．３５＜０．３７１＜０．４５
（６）ν３／ν４＝３０．３／５６．３＝０．５３８  →  ０．４０＜０．５３８＜０．６０
【００３３】
＜仕様諸元＞
物体距離＝∞（ｍｍ）、焦点距離ｆ＝４．９８ｍｍ、画角２ω＝６１．２°、Ｆ値（Ｆナンバー）＝１．８８、射出瞳位置＝−４．５９３ｍｍ、最大射出角度（像高２．５３２ｍｍでの光線の角度）＝−２３．７°、周辺光量比（像高２．８１３ｍｍ（画面対角）での数値）＝４６．５％、レンズ全長＝４．６５６ｍｍ、レンズ系全長ＴＬ＝７．０８８ｍｍ、バックフォーカス（ガラスプレート６の後面から像面までの距離）＝０．５ｍｍ
【００３４】
＜第１レンズ１〜第４レンズ４、ガラスプレート５，６の曲率半径Ｒｉ（ｍｍ）＞
Ｒ１＝４．２４２ｍｍ（非球面）、Ｒ２＝３．７２０ｍｍ（非球面）、Ｒ３＝３．９７６ｍｍ、Ｒ４＝−３．９７６ｍｍ、Ｒ５＝∞（開口絞りＳＤ）、Ｒ６＝−０．９５１ｍｍ（非球面）、Ｒ７＝−１．２３５ｍｍ（非球面）、Ｒ８＝２．１３０ｍｍ（非球面）、Ｒ９＝１．９２５ｍｍ（非球面）、Ｒ１０＝∞、Ｒ１１＝∞、Ｒ１２＝∞、Ｒ１３＝∞
【００３５】
＜光軸上の面間隔（ｍｍ）＞
Ｄ１＝０．５００ｍｍ、Ｄ２＝０．１００ｍｍ、Ｄ３＝１．０００ｍｍ、Ｄ４＝０．１００ｍｍ、Ｄ５＝１．２５０ｍｍ、Ｄ６＝０．６５８ｍｍ、Ｄ７＝０．１００ｍｍ、Ｄ８＝０．９４８ｍｍ、Ｄ９＝１．０８２ｍｍ、Ｄ１０＝０．４５０ｍｍ、Ｄ１１＝０．１００ｍｍ、Ｄ１２＝０．３００ｍｍ、Ｄ１３＝０．５００ｍｍ
【００３６】
＜第１レンズ１〜ガラスプレート６の屈折率Ｎｉ（ｄ線）＞
Ｎ１＝１．５８３８、Ｎ２＝１．４９７０、Ｎ３＝１．５８３８、Ｎ４＝１．５２５１、Ｎ５＝１．５１６８、Ｎ６＝１．５１６８
＜第１レンズ１〜ガラスプレート６のアッベ数νｉ＞
ν１＝３０．３、ν２＝８１．６、ν３＝３０．３、ν４＝５６．３、ν５＝６４．２、ν６＝６４．２
【００３７】
＜非球面係数の数値データ＞
＜Ｓ１面＞
Ｋ＝−６．５８５１４４、Ｄ＝−０．０１７２５６、Ｅ＝−６．０１８２００×１０−３、Ｆ＝−１．５９２９６０×１０−４、Ｇ＝４．２０８０００×１０−４、Ｈ＝−５．５７１９９０×１０−５、Ｉ＝０．００００００
＜Ｓ２面＞
Ｋ＝１．０７０３７５、Ｄ＝−０．０３２２０８、Ｅ＝−３．６９０４７０×１０−３、Ｆ＝−１．０９５０４０×１０−４、Ｇ＝６．３６０７７７×１０−４、Ｈ＝−１．０３３４８０×１０−４、Ｉ＝０．００００００
＜Ｓ６面＞
Ｋ＝−２．３７４２７５、Ｄ＝−１．６４３７２０×１０−４、Ｅ＝０．０１０１８２、Ｆ＝３．７０３３０９×１０−３、Ｇ＝−２．３８７７９０×１０−３、Ｈ＝−３．５２１９６０×１０−４、Ｉ＝２．４０８５０３×１０−４
＜Ｓ７面＞
Ｋ＝−２．０９２４７１、Ｄ＝０．０２１４８５、Ｅ＝４．１０７１４９×１０−３、Ｆ＝−１．１１０１７０×１０−３、Ｇ＝１．４８３７０９×１０−３、Ｈ＝−６．４００７７０×１０−４、Ｉ＝１．０４６６３９×１０−４
＜Ｓ８面＞
Ｋ＝−４．９３１６６５、Ｄ＝−０．０２２８４１、Ｅ＝２．４８４８８２×１０−３、Ｆ＝−１．７４１１２０×１０−４、Ｇ＝−１．４２５１５０×１０−４、Ｈ＝−１．１０７８６０×１０−５、Ｉ＝３．８８７９２５×１０−６
＜Ｓ９面＞
Ｋ＝−９．７６５９２４、Ｄ＝−０．０１４０３７、Ｅ＝−１．０３７３６０×１０−３、Ｆ＝２．２２７１１０×１０−４、Ｇ＝−１．１６３８７０×１０−４、Ｈ＝１．８０７７１１×１０−５、Ｉ＝−１．５３６９９０×１０−６
【００３８】
上記実施例１においては、レンズ系全長ＴＬが７．０８８ｍｍと短く、Ｆ値（Ｆナンバー）が１．８８と小さくて明るく、所望の解像力を確保でき、周辺光量比等の光学性能の劣化を招くことなく、図４に示すように諸収差が良好に補正されて高い光学性能を有し、携帯電話機、携帯型パーソナルコンピュータ、携帯型音楽プレーヤ等の携帯情報端末装置に搭載されるモバイルカメラに適した小型の撮像レンズが得られた。
【実施例２】
【００３９】
実施例２における主な仕様諸元、種々の数値データ（設定値）、条件式（１）〜（６）の値は以下の通りである。また、実施例２における球面収差、非点収差、歪曲収差、倍率色収差は図５に示す結果となる。尚、図５中の非点収差において、Ｓはサジタル平面での収差、Ｍはメリジオナル平面での収差を示す。
この実施例２においては、第１レンズ１、第３レンズ３、及び第４レンズ４が樹脂材料により形成され、又、第１レンズ１の両面Ｓ１，Ｓ２、第３レンズ３の両面Ｓ６，Ｓ７、第４レンズ４の両面Ｓ８，Ｓ９が非球面に形成されている。
【００４０】
＜条件式の値＞
（１）ＴＬ／ｆ＝７．１００／４．９８０＝１．４２６  →  １．３０＜１．４２６＜１．５０
（２）ｆ／ｆ２＝４．９８０／４．２１３＝１．１８２  →  １．１７＜１．１８２＜１．２０
（３）ｒ１／ｈ１＝１．５８３／１．３２９＝１．１９１  →  １．１０＜１．１９１＜１．２０
（４）ｒ４／ｈ４＝２．３４５／０．５８０＝４．０４３  →  ３．９０＜４．０４３＜４．１０
（５）ν１／ν２＝３０．３／８１．６＝０．３７１  →  ０．３５＜０．３７１＜０．４５
（６）ν３／ν４＝３０．３／５６．３＝０．５３８  →  ０．４０＜０．５３８＜０．６０
【００４１】
＜仕様諸元＞
物体距離＝∞（ｍｍ）、焦点距離ｆ＝４．９８ｍｍ、画角２ω＝６１．４°、Ｆ値（Ｆナンバー）＝１．８８３、射出瞳位置＝−４．５９６ｍｍ、最大射出角度（像高２．５３２ｍｍでの光線の角度）＝２３．８°、周辺光量比（像高２．８１３ｍｍ（画面対角）での数値）＝４７％、レンズ全長＝４．６５６ｍｍ、レンズ系全長＝７．１００ｍｍ、バックフォーカス（ガラスプレート６の後面から像面までの距離）＝０．５ｍｍ
【００４２】
＜第１レンズ１〜ガラスプレート６の曲率半径Ｒｉ（ｍｍ）＞
Ｒ１＝４．２０９ｍｍ（非球面）、Ｒ２＝３．６９２ｍｍ（非球面）、Ｒ３＝４．０１５ｍｍ、Ｒ４＝−４．０１５ｍｍ、Ｒ５＝∞（開口絞りＳＤ）、Ｒ６＝−０．９５５ｍｍ（非球面）、Ｒ７＝−１．２１６ｍｍ（非球面）、Ｒ８＝２．１５６ｍｍ（非球面）、Ｒ９＝１．８８８ｍｍ（非球面）、Ｒ１０＝∞、Ｒ１１＝∞、Ｒ１２＝∞、Ｒ１３＝∞
【００４３】
＜光軸上の面間隔（ｍｍ）＞
Ｄ１＝０．５００ｍｍ、Ｄ２＝０．１００ｍｍ、Ｄ３＝１．０００ｍｍ、Ｄ４＝０．１００ｍｍ、Ｄ５＝１．２５０ｍｍ、Ｄ６＝０．６５８ｍｍ、Ｄ７＝０．１００ｍｍ、Ｄ８＝０．９４８ｍｍ、Ｄ９＝１．０９４ｍｍ、Ｄ１０＝０．４５０ｍｍ、Ｄ１１＝０．１００ｍｍ、Ｄ１２＝０．３００ｍｍ、Ｄ１３＝０．５００ｍｍ
【００４４】
＜第１レンズ１〜ガラスプレート６の屈折率Ｎｉ（ｄ線）＞
Ｎ１＝１．５８４、Ｎ２＝１．４９７、Ｎ３＝１．５８４、Ｎ４＝１．５２５、Ｎ５＝１．５１７、Ｎ６＝１．５１７
＜第１レンズ１〜ガラスプレート６のアッベ数νｉ＞
ν１＝３０．３、ν２＝８１．６、ν３＝３０．３、ν４＝５６．３、ν５＝６４．２、ν６＝６４．２
【００４５】
＜非球面係数の数値データ＞
＜Ｓ１面＞
Ｋ＝−６．４８１４７８、Ｄ＝−０．０１７１２８、Ｅ＝−５．９７４９９０×１０−３、Ｆ＝−１．６４３７６０×１０−４、Ｇ＝４．１３８７５１×１０−４、Ｈ＝−５．１２７５６０×１０−５、Ｉ＝０．００００００
＜Ｓ２面＞
Ｋ＝１．０５１６００、Ｄ＝−０．０３２４００、Ｅ＝−３．５９７７００×１０−３、Ｆ＝−１．４３０３００×１０−４、Ｇ＝６．２３０９９０×１０−４、Ｈ＝−９．５１３０１０×１０−５、Ｉ＝０．００００００
＜Ｓ６面＞
Ｋ＝−２．３５５４３２、Ｄ＝−１．４４５６６０×１０−３、Ｅ＝０．０１０３６６、Ｆ＝４．３０７７３９×１０−３、Ｇ＝−２．４３４６６０×１０−３、Ｈ＝−５．８１０６５０×１０−４、Ｉ＝２．２７２６７３×１０−４
＜Ｓ７面＞
Ｋ＝−１．９８８３９８、Ｄ＝０．０２３１２５、Ｅ＝３．７８６８５３×１０−３、Ｆ＝−１．３１９８７×１０−３、Ｇ＝１．５１８７２６×１０−３、Ｈ＝−６．２５８９７０×１０−４、Ｉ＝９．９４４９６４×１０−５
＜Ｓ８面＞
Ｋ＝−５．２０２１０８、Ｄ＝−０．０２２４０６、Ｅ＝２．５７８３３９×１０−３、Ｆ＝−２．４３４８００×１０−４、Ｇ＝−１．４０６５７０×１０−４、Ｈ＝−８．３６３６９０×１０−６、Ｉ＝３．８０５４３２×１０−６
＜Ｓ９面＞
Ｋ＝−９．５９３４５５、Ｄ＝−０．０１５３８２、Ｅ＝−６．３１３１８０×１０−４、Ｆ＝２．０９２４９２×１０−４、Ｇ＝−１．２４３６４０×１０−４、Ｈ＝１．７７０９９１×１０−５、Ｉ＝−１．２７６９１０×１０−６
【００４６】
上記実施例２においては、レンズ系全長ＴＬが７．１００ｍｍと短く、Ｆ値（Ｆナンバー）が１．８８３と小さくて明るく、所望の解像力を確保でき、周辺光量比等の光学性能の劣化を招くことなく、図５に示すように諸収差が良好に補正されて高い光学性能を有し、携帯電話機、携帯型パーソナルコンピュータ、携帯型音楽プレーヤ等の携帯情報端末装置に搭載されるモバイルカメラに適した小型の撮像レンズが得られた。
【産業上の利用可能性】
【００４７】
以上述べたように、本発明の撮像レンズは、Ｆ値（Ｆナンバー）が２．０以下の明るさで、所望の解像力を確保でき、周辺光量比等の光学性能の劣化を防止でき、レンズ系全長を短くできるため、携帯電話機、携帯型パーソナルコンピュータ、携帯型音楽プレーヤ等の携帯情報端末装置に搭載されるモバイルカメラの撮像レンズとして適用できるのは勿論のこと、監視用カメラ、車載用カメラ、その他の小型化が要求されないデジタルカメラの撮像レンズとしても有用である。
【図面の簡単な説明】
【００４８】
【図１】本発明に係る撮像レンズの一実施形態を示す構成図である。
【図２】図１に示す撮像レンズの光路図である。
【図３】図１に示す撮像レンズを構成する第１レンズ及び第４レンズの物体側及び像面側の面とＦ値を決める光線の交点から光軸までの距離ｈ１，ｈ４及び有効半径ｒ１，ｒ４の定義を説明する図である。
【図４】実施例１における球面収差、非点収差、歪曲収差、倍率色収差を示す収差図である。
【図５】実施例２における球面収差、非点収差、歪曲収差、倍率色収差を示す収差図である。
【符号の説明】
【００４９】
１  第１レンズ
２  第２レンズ
３  第３レンズ
４  第４レンズ
５，６  ガラスプレート
ＳＤ  開口絞り
Ｌ  光軸
ｆ  レンズ系の焦点距離
ｆ２  第２レンズの焦点距離
ＴＬ  レンズ系全長
ｈ１  第１レンズの物体側の面とＦ値を決める光線の交点から光軸までの距離
ｈ４  第４レンズの像面側の面とＦ値を決める光線の交点から光軸までの距離
ｒ１  第１レンズの物体側の面の有効半径
ｒ４  第４レンズの像面側の面の有効半径
【図１】
2007322844.tif 000003
【図２】
2007322844.tif 000004
【図３】
2007322844.tif 000005
【図４】
2007322844.tif 000006
【図５】
2007322844.tif 000007